(57)【特許請求の範囲】
【請求項１】
体温計のプローブ先端部の挿入孔を備え、薄膜フィルムを有する体温計用プローブカバー体から、該薄膜フィルムを剥離して該プローブ先端部に該薄膜フィルムを貼着するための体温計用プローブカバー装着具であって、該挿入孔のプローブ挿入側に該挿入孔よりも大きい径の空間部を設け、
該空間部の内径は、該薄膜フィルムの貼着部の内側内径とほぼ同じであることを特徴とする体温計用プローブカバー装着具。
【請求項２】
該空間部の該プローブ挿入側の縁を面取りしたことを特徴とする請求項１に記載の体温計用プローブカバー装着具。
【請求項３】
該空間部の内径は、該体温計用プローブカバー体の離型部材に設けられたプローブ穿刺孔よりも大きく、該薄膜フィルム外形よりも小さいものである、請求項１に記載の体温計用プローブカバー装着具。
【請求項４】
該空間部の該プローブ挿入側の縁に溝部を設けたことを特徴とする請求項１に記載の体温計用プローブカバー装着具。
【請求項５】
該溝部を該薄膜フィルム上の各貼着部間に位置するように配置したことを特徴とする請求項４に記載の体温計用プローブカバー装着具。
【発明の詳細な説明】
【０００１】
【産業上の利用分野】
本発明は、体温計、特に赤外線式体温計において、特に鼓膜を対象とする体温計のプローブを覆うための使い捨ての体温計用プローブカバーをプローブ先端部に装着する器具に関するものである。
【０００２】
【従来の技術】
体温計測の分野において、従来の腋下、口中、直腸等の検温で用いた接触式体温計に対して、測定時間が数秒〜１０秒程度という極めて短時間なため、被検体（人体）からの放射、特に鼓膜を対象にしたサーモパイル型、焦電型、ボロメータ型等の熱応答性に優れた赤外線体温計が利用されつつある。
【０００３】
口中、直腸などの検温時、赤外線体温計の使用時には、体温計の先端部を体内腔（口中、直腸、外耳道など）へ挿入する。そして、被検者間の感染予防等衛生面における観点から検温毎に体温計先端部にカバーを取り付け、測定終了後取り外して廃棄する。
【０００４】
そのプローブカバーにおいては、薄膜フィルム（赤外線体温計にあっては、赤外線を実質的に透過する材料で形成される薄膜フィルム）上に貼着部を備え、その貼着部を介して離型部材を備えたプローブカバー体がある。
【０００５】
このようなプローブカバー体にあっては、離型部材にはプローブ穿刺孔が設けられ、プローブ先端部を挿入することで、薄膜フィルムと離型部材が剥離し、薄膜フィルムがプローブ先端部に貼着される。
【０００６】
このプローブカバー装着時の作業性向上のため、プローブ先端部を受ける挿入孔を有する装着具がある（図１０）。
【０００７】
このような装着具にあっては、挿入孔１上にプローブカバー体１０を設置し、プローブ先端部（不図示）を穿刺孔側から薄膜フィルムを押圧する（図の矢印方向）ことで、薄膜フィルム６側の貼着部７が離型部材５から離れ、プローブ先端部に貼着され、プローブ先端部を被覆していた。
【０００８】
【発明が解決しようとする課題】
このような装着具では、プローブカバー体は、挿入孔の上に設置され、プローブ先端部で薄膜フィルムを下方向に押圧することにより、薄膜フィルムをプローブ先端部に貼着していた。
【０００９】
この場合、プローブカバー体と挿入孔入口面との距離がわずかな隙間しかなく、貼着部が挿入孔の中心方向に引きずられるため、貼着部に剪断方向の力が作用し、薄膜フィルムがスムーズに剥離せず、薄膜フィルムが不必要に延伸するため、体温測定値に誤差を生ずることがあったり、装着（貼着）そのものもうまく行えなかった。
【００１０】
さらに、プローブ先端部を被覆した薄膜フィルムは、挿入孔で折り畳まれ、装着後も皺状に折り畳まれたままとなっていた。その折り畳まれ方も一様でないので、貼着部が薄膜フィルムと貼着するなどして均一な粘着性を保持することができなかった。さらに、耳内挿入時にも不均一性のため、違和感を感ずることもあった。
【００１１】
本発明は、上記従来例の問題点に鑑みてなされたものであって、薄膜フィルムを離型部材から容易に剥離でき、プローブ先端部への装着時に不必要に伸張（延伸）せず、容易に再現性よく貼着けられる体温計用プローブカバー装着具を提供することを目的とする。
【００１２】
【課題を解決するための手段】
上記目的を達成するために、本発明の体温計のプローブ先端部の挿入孔を備えた体温計用プローブカバー装着具は、挿入孔のプローブ挿入側に挿入孔よりも大きい径の空間部を設けたことを特徴とする。
【００１３】
本発明の好ましい態様によれば、空間部のプローブ挿入側の縁を面取りしたことを特徴とする。
【００１４】
本発明の好ましい態様によれば、空間部の内径は、プローブカバー体の離型部材に設けられたプローブ穿刺孔よりも大きく、薄膜フィルム外形よりも小さいものである。
【００１６】
本発明の好ましい態様によれば、空間部のプローブ挿入側の縁に溝部を設けたことを特徴とする。
【００１７】
本発明の好ましい態様によれば、溝部を薄膜フィルム上の各貼着部間に位置するように配置したことを特徴とする。
【００１８】
本発明の好ましい態様によれば、空間部のプローブ挿入側の縁に少なくとも２つ以上の溝部を設けたことを特徴とする。
【００１９】
【実施例】
以下、添付図面を参照して本発明の好適な実施例を詳細に説明する。
【００２０】
（実施例１）
図１は、本発明の実施例１の体温計用プローブカバー装着具の断面図である。図３は、赤外線用体温計用の使い捨てプローブカバー体の斜視図、図４は、赤外線用体温計用の使い捨てプローブカバー体の断面図である。
【００２１】
図１において、３は体温計用プローブカバー装着具、１はプローブ先端部の挿入孔、２は空間部（凹部）、２ａは空間部のプローブ挿入側の縁、２ｂは空間部のプローブ挿入側と反対側の縁である。プローブ先端部の挿入孔１は、プローブ先端部とほぼ同一の外形（テーパ形状）で、空間部２の縁２ａ，２ｂの内径は、プローブ先端部の挿入孔の開口部１ａよりも大きく形成されている。
【００２２】
プローブカバー体１０は、実質的な赤外線透過性の薄膜フィルム６と、薄膜フィルム６の上に設けられ薄膜フィルム６を体温計プローブ先端部の所定位置に装着するための貼着部（粘着層）７と離型部材５とからなり、プローブ先端部を被覆できるに十分な大きさである。
【００２３】
薄膜フィルム６は、実質的な赤外線透過性、可撓性に優れた薄い合成樹脂材料等が用いられ、例えばポリエチレンが好ましく用いられる。厚さとしては、５〜７０μｍが好ましく、特に５〜３０μｍが好ましい。５μｍより薄いと強度に問題があり、７０μｍを越えると柔軟性の低下、赤外線透過特性の低下のために好ましくない。
【００２４】
カバー上面にはプローブ先端部９の側面に粘着できるように、貼着部７が塗布または貼着されている。貼着部７は、プローブ先端部９に装着された後、検温中は外れず、検温後は剥離しやすい適度な強度の粘着性を有するものが好ましく用いられ、例えばアクリル系ゴム，スチレンブタジエン系ゴム等の合成ゴム系接着剤が塗布されていたり、粘着テープ等それ自体が粘着性を示す適当なシート，フィルムが貼着されていればよい。
【００２５】
薄膜フィルム６の上に設けられる貼着部７の位置としては、図３のようにプローブカバー１０がほぼ均一に粘着するように所定の半径を有するリング状に配置されている。
【００２６】
貼着部７の層の厚さとしては、０．５μｍ〜５０μｍが好ましく、特に１μｍ〜２０μｍが好ましい。０．５μｍより薄いとプローブへの粘着強度が低下し、５０μｍより厚いとプローブへの装着性の低下、粘着層のプローブへの残留等の問題があり好ましくない。また、粘着強度は、５０ｇｆ〜４００ｇｆが好ましく、特に１５０ｇｆ〜２００ｇｆが好ましい。５０ｇｆより小さいと付着力が不十分であり、４００ｇｆを越えると検温後のプローブからの剥離が容易でないので好ましくない。なお、粘着強度の測定は、ＪＩＳＺ−０２３７（１８０度ハツリ）に準拠したものである。
【００２７】
このプローブカバー体１０の薄膜フィルム６をプローブ先端部９に装着するために、装着具３を用いる。
【００２８】
図５に示すように、装着具３は、プローブ先端部挿入孔１と、空間部２により構成されている。挿入孔１は、プローブ先端部の形状に沿った形状で、プローブカバー体１０の貼着部７がプローブ先端部９に密着できるように構成されている。挿入孔１の入口側の空間部２の縁２ａは、プローブ先端部挿入孔１ａよりも内径が大きく形成されているため、薄膜フィルム６が離型部材５から剥離する際の剥離性を向上させることができる。
【００２９】
プローブ先端部の挿入時に薄膜フィルム６が下方向に押され、貼着部端７ａが離型部材５と離れ始めるため、その後の離型部材５からの貼着部７の剥離及び貼着部７のプローブ先端部への装着（付着）も図６のようにスムーズに行うことができる。
【００３０】
図６は、プローブ先端部へのプローブカバー体１０の装着手順を示すもので、図６（ａ）は、プローブ先端部９によりプローブカバー体１０を押圧する前の状態を示す図である。
【００３１】
図６（ｂ）は、プローブ先端部９をプローブ装着具３の挿入孔１に挿入し、プローブカバー体１０を押圧し、離型部材５から貼着部材５が隔離した状態を示す図である。  図６（ｃ）は、プローブ先端部９をプローブ装着部３の所定位置まで挿入し、貼着部７がプローブ先端部９へ付着し、薄膜フィルム６がプローブ先端部９へ装着された状態を示す図である。
【００３２】
図６（ｄ）は、装着部３からプローブ先端部９を引き抜いた状態を示す図である。
【００３３】
空間部２の最小内径は、プローブカバー体１０のプローブ穿刺孔８の径よりも大きく、薄膜フィルム６よりも小さいことが好ましい（薄膜フィルム６がほぼ円形の場合はその外径よりも小さいことが好ましい。薄膜フィルム６がほぼ矩形の場合はその対角線よりも小さいことが好ましい。）特に、貼着部７の内側径程度が好ましい。プローブ穿刺孔８よりも小さいと、図１０に示すようになり、薄膜フィルムよりも大きい（薄膜フィルム６がほぼ円形の場合はその外径よりも大きい時。薄膜フィルム６がほぼ矩形の場合はその対角線よりも大きい時。）とプローブカバー体１０全体がプローブ先端部９に押されて、挿入孔１に引きずり込まれるので好ましくない。
【００３４】
空間部（凹部）２の深さについては、貼着部７の剥離がある程度進行すればよく、数ｍｍ程度でよい。
【００３５】
（実施例２）
図２は、本発明の他の実施例を示すもので、さらに、剥離性を向上させるために、挿入孔１の挿入孔１のプローブ挿入側１ａの縁や空間部２のプローブ挿入側の縁２ａを面取り（図２（ａ））したり、挿入孔１のテーパ形状よりも鋭角のテーパ形状とした（図２（ｂ））ものである。
【００３６】
プローブカバー体１０を図７に示すように、ケース１００に収納し、装着部３をケース１００に一体化した装着具としてもよい。
【００３７】
図７においては、ロール状のプローブカバーを図７（ａ）のようなケース１００に収納させ、このケース１００に装着部を備えた装着具３を設け、ケースと兼用にすることにより、連続使用が簡便になる。
【００３８】
ケース１００の外に設けたダイヤル１２のようなもので、１回の使用分の体温計用プローブカバーを順次引き出し薄膜フィルムを装着する。使用済離型部材５は、次回装着時にはケース１００内に収納される。
（実施例３）
図８は、本発明の他の実施例の体温計用プローブカバー装着具を示すもので、その平面図（図８（ａ））、その断面図（図８（ｂ））である。
【００３９】
プローブ先端部に薄膜フィルムを装着する際の皺をほぼ均一にさせるために、図２と同様の空間部２のプローブ先端部の挿入側の縁２ａに、少なくとも２つ以上のほぼ矩形の溝部（切り欠き）１１を設けたものである。このような構成とすることにより、離型部材５から薄膜フィルム６が剥離する際にこの溝部１１に薄膜フィルムが入り込み皺を円周上に沿ってほぼ均一に発生することができる。
【００４０】
さらに、貼着部７がほぼ同一円周上に３０度の間隔で設けられていれば、溝部１１の間隔も、３０度の間隔で設けることが好ましい。
【００４１】
溝部は、図９に示すように、ほぼ円弧形状のものであってもよく、さらに、皺をほぼ均一に発生させるものであれば、これらに限定されるものではない。
【００４２】
なお、図９は、本発明の他の実施例の体温計用プローブカバー装着具を示すもので、その平面図（図９（ａ））、その断面図（図９（ｂ））である。
【００４３】
【発明の効果】
以上説明したように、本発明の体温計のプローブ先端部の挿入孔を備えた体温計のプローブカバーの装着具は、挿入孔のプローブ挿入側に挿入孔よりも大きい径の空間部を設けたものであるので、装着（貼着）に再現性があり、貼着部に剪断方向の力が作用せず、薄膜フィルムがスムーズに剥離し、薄膜フィルムが不必要に延伸せず、体温測定値に誤差を生ずることがない。
【００４４】
空間部のプローブ挿入側の縁を面取りしたことにより、装着（貼着）に再現性があり、貼着部に剪断方向の力が作用せず、薄膜フィルムがより一層スムーズに剥離し、薄膜フィルムが不必要に延伸せず、体温測定値に誤差を生ずることがない。
【００４５】
空間部の内径は、プローブカバー体の離型部材に設けられたプローブ穿刺孔よりも大きく、薄膜フィルム外形よりも小さいものであるので、装着（貼着）に再現性があり、貼着部に剪断方向の力が作用せず、薄膜フィルムがより一層スムーズに剥離し、薄膜フィルムが不必要に延伸せず、体温測定値に誤差を生ずることがない。
【００４６】
空間部の内径は、薄膜フィルムの貼着部の内側内径とほぼ同じであるので、装着（貼着）に再現性があり、貼着部に剪断方向の力が作用せず、薄膜フィルムがより一層スムーズに剥離し、薄膜フィルムが不必要に延伸せず、体温測定値に誤差を生ずることがない。
【００４７】
空間部のプローブ挿入側の縁に溝部を設けたものであるので、上記効果の他に、薄膜フィルムの折り畳まれ方が一様となり、貼着部が薄膜フィルムと貼着するなどして均一な粘着性を保持することができ、耳内挿入時にも違和感が生じないという効果が得られる。
【００４８】
空間部のプローブ挿入側の縁に溝部を設けたことにより、装着（貼着）に再現性があり、貼着部に剪断方向の力が作用せず、薄膜フィルムがより一層スムーズに剥離し、薄膜フィルムが不必要に延伸せず、体温測定値に誤差を生ずることがないという効果の他に、薄膜フィルムの折り畳まれ方がより一層一様となり、貼着部が薄膜フィルムと貼着するなどして均一な粘着性を保持することができ、耳内挿入時にも違和感が生じないという効果が得られる。
【図面の簡単な説明】
【図１】本発明の実施例の体温計用プローブカバー装着具の断面図である。
【図２】本発明の他の実施例の体温計用プローブカバー装着具の断面図である。
【図３】本発明の実施例に使用されるプローブカバーの斜視図である。
【図４】本発明の実施例に使用されるプローブカバーの断面図である。
【図５】本発明の実施例における装着具により、プローブカバー体の薄膜フィルムが剥離される状態を示す図である。
【図６】本発明の実施例による装着具を用いてプローブカバー体の薄膜フィルムを装着する手順を示す図である。
【図７】本発明の実施例の装着具を備えたケースを示す図である。
【図８】本発明の他の実施例を示す図である。
【図９】本発明の他の実施例を示す図である。
【図１０】従来の装着具により、プローブカバー体の薄膜フィルムが剥離される状態を示す図である。
【符号の説明】
１…プローブ挿入孔
２…空間部
３…装着具
５…離型部材
６…薄膜フィルム
７…貼着部
９…プローブ先端部
１０…体温計用プローブカバー体
１００…ケース
【図１】
0003553674.tif 000002
【図２】
0003553674.tif 000003
【図３】
0003553674.tif 000004
【図４】
0003553674.tif 000005
【図５】
0003553674.tif 000006
【図６】
0003553674.tif 000007
【図７】
0003553674.tif 000008
【図８】
0003553674.tif 000009
【図９】
0003553674.tif 000010
【図１０】
0003553674.tif 000011